(57)【要約】【課題】短い時間の視聴時に消費電力を低減する制御が行われることに起因してユーザに不快感が与えられるのを抑制することが可能な電子機器を提供する。【解決手段】この携帯端末装置（電子機器）１００は、携帯端末本体１０１に電力を供給するバッテリ１と、テレビ番組を視聴可能な表示部３と、テレビ番組の視聴時間が第１時間以上であり、かつ、バッテリ１の残量に対応するテレビ番組の視聴可能時間が第２時間よりも少ないと判断した場合に、消費電力を低減する制御を行う制御部２とを備える。【選択図】図１
2014110591.tif 000002
【特許請求の範囲】
【請求項１】
電子機器本体に電力を供給するバッテリと、
コンテンツを視聴可能な表示部と、
前記コンテンツの視聴時間が第１時間以上であり、かつ、前記バッテリの残量に対応する前記コンテンツの視聴可能時間が第２時間よりも少ないと判断した場合に、消費電力を低減する制御を行う制御部とを備えた、電子機器。
【請求項２】
前記第１時間は、過去に前記コンテンツが部分的に視聴された際における部分視聴時間である、請求項１に記載の電子機器。
【請求項３】
前記部分視聴時間は、複数の前記部分視聴時間の平均値である、請求項２に記載の電子機器。
【請求項４】
前記制御部は、前記コンテンツの視聴時間が前記第１時間以上であり、かつ、前記視聴可能時間が前記コンテンツの残りの第１視聴時間である前記第２時間よりも少ないと判断した場合に、消費電力を低減する制御を行うように構成されている、請求項１〜３のいずれか１項に記載の電子機器。
【請求項５】
前記制御部は、前記コンテンツの視聴時間が前記第１時間以上であると判断した場合でも、前記視聴可能時間が前記残りの第１視聴時間以上であると判断した場合には、消費電力を低減する制御を行わないように構成されている、請求項４に記載の電子機器。
【請求項６】
前記制御部は、前記視聴可能時間が前記部分視聴時間よりも少ないと判断した場合にも、消費電力を低減する制御を行うように構成されている、請求項２〜５のいずれか１項に記載の電子機器。
【請求項７】
前記制御部は、前記視聴可能時間が前記部分視聴時間よりも少ないと判断し、かつ、前記視聴可能時間が、前記部分視聴時間から既に視聴された前記コンテンツの視聴時間を差し引いた残りの第２視聴時間よりも少ないと判断した場合に、消費電力を低減する制御を行うように構成されている、請求項６に記載の電子機器。
【請求項８】
前記制御部は、前記視聴可能時間が前記部分視聴時間よりも少ないと判断した場合でも、前記視聴可能時間が前記残りの第２視聴時間以上であると判断した場合には、消費電力を低減する制御を行わないように構成されている、請求項７に記載の電子機器。
【請求項９】
前記制御部は、消費電力を低減する制御を行う場合には、複数種類の消費電力を低減する制御を、前記表示部における前記コンテンツの視聴に与える影響が小さい順に切り替えて実行するように構成されている、請求項１〜８のいずれか１項に記載の電子機器。
【請求項１０】
前記制御部は、消費電力を低減する制御を行うか否かを第１の時間間隔で定期的に判断するとともに、前記バッテリの残量を前記第１の時間間隔よりも短い第２の時間間隔で定期的に監視するように構成されている、請求項１〜９のいずれか１項に記載の電子機器。
【発明の詳細な説明】
【技術分野】
【０００１】
この発明は、電子機器に関し、特に、電子機器本体に電力を供給するバッテリを備えた電子機器に関する。
【背景技術】
【０００２】
従来、電子機器本体に電力を供給するバッテリを備えた電子機器が知られている（たとえば、特許文献１参照）。
【０００３】
上記特許文献１には、携帯情報端末（電子機器）の各部に電力を供給する電池（バッテリ）を備えた携帯情報端末が開示されている。この携帯情報端末には、テレビ番組などの動画コンテンツを表示再生可能な表示部と、電池の残量が所定のしきい値以下である場合に、表示部で表示再生されている動画コンテンツのフレームレートを下げて消費電力を低減する処理を行う制御部とが設けられている。
【先行技術文献】
【特許文献】
【０００４】
【特許文献１】特開２００６−２８７８９８号公報
【発明の概要】
【発明が解決しようとする課題】
【０００５】
しかしながら、上記特許文献１に開示された携帯情報端末では、ユーザが動画コンテンツを比較的短い時間だけ視聴する場合で、かつ、その短い時間の視聴を行うのに十分な電力が電池に残っている場合でも、電池の残量が所定のしきい値以下である場合には、動画コンテンツの映像のフレームレートを下げて消費電力を低減する処理が制御部により行われると考えられる。このため、短い時間の視聴時にフレームレートが下げられることに起因して動画コンテンツの視聴が妨げられてユーザに不快感が与えられるという問題点があると考えられる。
【０００６】
この発明は、上記のような課題を解決するためになされたものであり、この発明の１つの目的は、短い時間の視聴時に消費電力を低減する制御が行われることに起因してユーザに不快感が与えられるのを抑制することが可能な電子機器を提供することである。
【課題を解決するための手段】
【０００７】
上記目的を達成するために、この発明の一の局面による電子機器は、電子機器本体に電力を供給するバッテリと、コンテンツを視聴可能な表示部と、コンテンツの視聴時間が第１時間以上であり、かつ、バッテリの残量に対応するコンテンツの視聴可能時間が第２時間よりも少ないと判断した場合に、消費電力を低減する制御を行う制御部とを備える。
【０００８】
この発明の一の局面による電子機器では、上記のように構成することによって、コンテンツの視聴時間が第１時間未満である短い時間の視聴時で、かつ、その短い時間の視聴を行うのに十分な残量がバッテリに残っている場合（視聴可能時間が第２時間以上である場合）には、消費電力を低減する制御が行われない。これにより、短い時間の視聴時に消費電力を低減する制御が行われることに起因してコンテンツの視聴が妨げられるという不快感がユーザに与えられるのを抑制することができる。
【０００９】
上記一の局面による電子機器において、好ましくは、第１時間は、ユーザが過去にコンテンツを部分的に視聴した際における部分視聴時間である。このように構成すれば、部分視聴時間である第１時間に基づいて、容易に、部分視聴時に消費電力を低減する制御を行わないという判断を行うことができる。
【００１０】
この場合、好ましくは、部分視聴時間は、複数の部分視聴時間の平均値である。このように構成すれば、複数の部分視聴時間の平均値を用いて、ユーザが現在部分視聴を行っているか否かの判断を適切に行うことができる。
【００１１】
上記一の局面による電子機器において、好ましくは、制御部は、コンテンツの視聴時間が第１時間以上であり、かつ、バッテリの残量に対応するコンテンツの視聴可能時間が、コンテンツの残りの第１視聴時間である第２時間よりも少ないと判断した場合に、消費電力を低減する制御を行うように構成されている。このように構成すれば、ユーザが比較的長時間に渡ってコンテンツの視聴を行う場合で、かつ、視聴可能時間が残りの第１視聴時間よりも少ない場合に、消費電力を低減する制御が行われるので、バッテリの残量が比較的少ない場合でも、コンテンツを比較的長時間に渡って視聴することができる。
【００１２】
この場合、好ましくは、制御部は、コンテンツの視聴時間が第１時間以上であると判断した場合でも、視聴可能時間が残りの第１視聴時間以上であると判断した場合には、消費電力を低減する制御を行わないように構成されている。このように構成すれば、ユーザが比較的長時間に渡ってコンテンツの視聴を行う場合でも、視聴可能時間が残りの第１視聴時間以上である場合には、消費電力を低減する制御が行われないので、コンテンツを比較的長時間に渡って品質（画質）を低下させることなく視聴することができる。
【００１３】
上記第１時間が部分視聴時間である電子機器において、好ましくは、制御部は、視聴可能時間が部分視聴時間よりも少ないと判断した場合にも、消費電力を低減する制御を行うように構成されている。このように構成すれば、バッテリに部分視聴を行うのに十分な残量がない場合に、消費電力を低減する制御が行われるので、ユーザが部分視聴を行っている途中でバッテリの残量がゼロになって部分視聴が妨げられるのを抑制することができる。
【００１４】
この場合、好ましくは、制御部は、視聴可能時間が部分視聴時間よりも少ないと判断し、かつ、視聴可能時間が、部分視聴時間から既に視聴されたコンテンツの視聴時間を差し引いた残りの第２視聴時間よりも少ないと判断した場合に、消費電力を低減する制御を行うように構成されている。このように構成すれば、バッテリに部分視聴を行うのに十分な残量がない場合で、かつ、視聴可能時間が部分視聴の残りの第２視聴時間よりも少ない場合に、消費電力を低減する制御が行われるので、ユーザが部分視聴を行っている途中でバッテリの残量がゼロになって部分視聴が妨げられるのを確実に抑制することができる。
【００１５】
上記視聴可能時間が残りの第２視聴時間よりも少ないと判断した場合に消費電力を低減する制御を行う制御部を備えた電子機器において、好ましくは、制御部は、視聴可能時間が部分視聴時間よりも少ないと判断した場合でも、視聴可能時間が残りの第２視聴時間以上であると判断した場合には、消費電力を低減する制御を行わないように構成されている。このように構成すれば、バッテリに部分視聴を行うのに十分な残量がない場合でも、視聴可能時間が部分視聴の残りの第２視聴時間以上である場合には、消費電力を低減する制御が行われないので、ユーザが部分視聴を行っている途中でコンテンツの品質（画質）が低下するのを抑制することができる。
【００１６】
上記一の局面による電子機器において、好ましくは、制御部は、消費電力を低減する制御を行う場合には、複数種類の消費電力を低減する制御を、表示部におけるコンテンツの視聴に与える影響が小さい順に切り替えて実行するように構成されている。このように構成すれば、消費電力を低減する制御が行われる場合には、ユーザに与える不快感の小さいものから順番に行われるので、コンテンツの視聴時に消費電力を低減する制御が行われることに起因してユーザに不快感が与えられるのを効果的に抑制することができる。
【００１７】
上記一の局面による電子機器において、好ましくは、制御部は、消費電力を低減する制御を行うか否かを第１の時間間隔で定期的に判断するとともに、バッテリの残量を第１の時間間隔よりも短い第２の時間間隔で定期的に監視するように構成されている。このように構成すれば、消費電力を低減する制御を行うか否かの判断が行われる頻度よりも、バッテリの残量の監視が行われる頻度の方が高くなるので、消費電力を低減する制御を行うか否かの判断を直近のバッテリの残量に基づいて適切に行うことができる。
【発明の効果】
【００１８】
本発明によれば、上記のように、短い時間の視聴時に消費電力を低減する制御が行われることに起因してユーザに不快感が与えられるのを抑制することができる。
【図面の簡単な説明】
【００１９】
【図１】本発明の一実施形態による携帯端末装置の構成を示したブロック図である。
【図２】本発明の一実施形態による携帯端末装置のＣＰＵによりバッテリの残量が監視される際に実行される処理フローを示したフローチャートである。
【図３】本発明の一実施形態による携帯端末装置のＣＰＵにより部分視聴時間が計測される際に実行される処理フローを示したフローチャートである。
【図４】本発明の一実施形態による携帯端末装置を用いたテレビ番組の視聴時にＣＰＵにより実行される処理フローを示したフローチャートである。
【図５】本発明の一実施形態による携帯端末装置を用いたテレビ番組の視聴時にＣＰＵにより実行される処理フローを示したフローチャートである。
【図６】図４および図５に示したフローチャートにおける消費電力の低減処理の詳細を示したフローチャートである。
【図７】本発明の一実施形態の変形例による携帯端末装置を用いたテレビ番組の視聴時にＣＰＵにより実行される処理フローを示したフローチャートである。
【発明を実施するための形態】
【００２０】
以下、本発明の実施形態を図面に基づいて説明する。
【００２１】
まず、図１を参照して、本発明の一実施形態による携帯端末装置１００の構成について説明する。なお、携帯端末装置１００は、本発明の「電子機器」の一例である。
【００２２】
図１に示すように、携帯端末装置１００は、携帯端末本体１０１と、携帯端末本体１０１に電力を供給するバッテリ（二次電池）１と、携帯端末装置１００の各部の制御を行うＣＰＵ２とを備える。なお、携帯端末本体１０１は、本発明の「電子機器本体」の一例である。また、ＣＰＵ２は、本発明の「制御部」の一例である。
【００２３】
また、携帯端末装置１００は、表示部３と、タッチパネル部４と、スピーカ部５と、チューナ６と、映像処理部７と、センサ部８と、通信部９と、ＳＤカードＩ／Ｆ（インターフェース）１０と、ＲＯＭ（不揮発性メモリ）１１と、ＲＡＭ（揮発性メモリ）１２とを備える。
【００２４】
表示部３は、テレビ番組などのコンテンツを視聴可能に構成されている。また、タッチパネル部４は、表示部３を用いたＯＳＤ（Ｏｎ  Ｓｃｒｅｅｎ  Ｄｉｓｐｌａｙ）のタッチパネル操作を実現するために設けられている。また、スピーカ部５は、テレビ番組などのコンテンツに含まれる音声を再生するために設けられている。また、チューナ６は、テレビ番組やＥＰＧ（電子番組表）などを受信するために設けられている。また、映像処理部７は、テレビ番組などのコンテンツに含まれる映像を処理するために設けられている。また、センサ部８は、カメラや、加速度センサや、照度センサなどにより構成されている。また、通信部９は、Ｗｉ−Ｆｉ（登録商標）ネットワークなどの種々のネットワークと通信を行うためのインターフェースとして機能するように構成されている。また、ＳＤカードＩ／Ｆ１０は、記憶媒体としてのＳＤカードを接続可能に構成されている。また、ＲＯＭ１１およびＲＡＭ１２は、それぞれ、携帯端末装置１００の補助記憶装置および主記憶装置として使用されるように構成されている。
【００２５】
ここで、本実施形態では、ＣＰＵ２は、ユーザがテレビ番組の部分的な視聴（部分視聴）を行った場合に、その部分視聴を行った時間（部分視聴時間）を計測する処理を、ユーザが部分視聴を行う毎に繰り返し行うように構成されている。そして、ＣＰＵ２は、上記のように計測した複数の部分視聴時間の平均値τを計算してＲＯＭ１１およびＲＡＭ１２に記憶する処理を行うように構成されている。ここで、部分視聴とは、テレビ番組を終了時刻まで視聴しない視聴態様のことである。たとえば、ユーザによりテレビ番組が途中から終了前まで１０分視聴された場合（１０分の部分視聴が行われた場合）には、その１０分という時間が部分視聴時間としてＲＯＭ１１およびＲＡＭ１２に記憶される。なお、本実施形態では、１分以下の時間間隔でチャンネルを切り替えながらテレビ番組を視聴する行為（いわゆるザッピング）は、部分視聴には該当しないとして、ザッピングによるテレビ番組の視聴時間（１分以下の視聴時間）は、部分視聴時間として記憶されないように構成されている。
【００２６】
また、本実施形態では、ＣＰＵ２は、現在のテレビ番組の視聴時間（視聴時間）が第１時間以上であると判断した場合（現在の視聴態様が部分視聴に該当しないと判断した場合）に、バッテリ１の残量に基づいて、消費電力を低減する制御（詳細は後述する）を行うか否かを判断するように構成されている。具体的には、ＣＰＵ２は、現在のテレビ番組の視聴時間が、上記過去の部分視聴時間に基づいて決定される第１時間（複数の部分視聴時間の平均値τ）以上であり、かつ、現在のバッテリ１の残量に対応するテレビ番組の視聴可能時間（消費電力を低減する制御を行わずにテレビ番組の視聴を継続した場合にバッテリ１の残量がゼロになるまでの時間）が第２時間（後述する残りの番組時間）よりも少ないと判断した場合に、消費電力を低減する制御を行うように構成されている。
【００２７】
詳細には、ＣＰＵ２は、現在のテレビ番組の視聴時間が部分視聴時間の平均値τ以上であり、かつ、テレビ番組の視聴可能時間が残りの番組時間（現在視聴中のテレビ番組を終了まで視聴するのに要する時間）よりも少ないと判断した場合に、消費電力を低減する制御を行うように構成されている。その一方、ＣＰＵ２は、現在のテレビ番組の視聴時間が部分視聴時間の平均値τ以上である場合でも、視聴可能時間が残りの番組時間以上であると判断した場合には、消費電力を低減する制御を行わないように構成されている。なお、残りの番組時間は、本発明の「残りの第１視聴時間」の一例である。ここで、バッテリ１の残量がゼロになった状態とは、バッテリ１の残量が完全に無くなって携帯端末装置１００全体の動作が停止した状態ではない。つまり、バッテリ１の残量がゼロになった状態とは、携帯端末装置１００の動作は可能であるものの、バッテリ１にテレビ番組の視聴に十分な残量が残っていない状態である。なお、本実施形態では、上記のようにバッテリ１の残量がゼロになった場合に、その旨をユーザに報知する制御（バッテリ残量警告を出す制御）を行うようにＣＰＵ２を構成してもよい。
【００２８】
また、本実施形態では、ＣＰＵ２は、テレビ番組の視聴可能時間が部分視聴時間の平均値τよりも少ないと判断した場合（消費電力を低減する処理を行わなければ時間τ分のテレビ番組の視聴が不可能と判断された場合）にも、バッテリ１の残量に基づいて、消費電力を低減する制御を行うか否かを判断するように構成されている。具体的には、ＣＰＵ２は、視聴可能時間が部分視聴時間の平均値τよりも少ないと判断した場合にも、原則として、消費電力を低減する制御を行うように構成されている。
【００２９】
詳細には、ＣＰＵ２は、テレビ番組の視聴可能時間が部分視聴時間の平均値τよりも少ないと判断し、かつ、視聴可能時間が残りの部分視聴時間（部分視聴時間の平均値τから既に視聴したテレビ番組の視聴時間を差し引いた時間）よりも少ないと判断した場合に、消費電力を低減する制御を行うように構成されている。その一方、ＣＰＵ２は、視聴可能時間が部分視聴時間の平均値τよりも少ないと判断した場合でも、視聴可能時間が残りの部分視聴時間以上であると判断した場合には、消費電力を低減する制御を行わないように構成されている。なお、残りの部分視聴時間は、本発明の「残りの第２視聴時間」の一例である。
【００３０】
ここで、ＣＰＵ２は、上記のような消費電力を低減するか否かを判断する制御を、第１の時間間隔ｔ１（１分程度）で定期的に行うように構成されている。これにより、現在のテレビ番組の視聴時間が部分視聴時間の平均値τ以上であると判断された場合（現在の視聴態様が部分視聴に該当しないと判断された場合）には、少なくとも現在視聴しているテレビ番組が終了するまでの間は、バッテリ１の残量がゼロになるのが抑制される。また、テレビ番組の視聴可能時間が部分視聴時間の平均値τよりも少ないと判断された場合（消費電力を低減する処理を行わなければ時間τ分のテレビ番組の視聴が不可能と判断された場合）には、少なくとも部分視聴時間の平均値τが経過するまでの間は、バッテリ１の残量がゼロになるのが抑制される。
【００３１】
なお、本実施形態では、ＣＰＵ２は、上記のように消費電力を低減する制御を行う場合には、複数種類の消費電力を低減する制御を、表示部３におけるテレビ番組の視聴に与える影響が小さい順に優先度をつけて切り替えて実行するように構成されている。たとえば、ＣＰＵ２は、テレビ番組視聴時には使用されないデバイス（センサ８や通信部９など）に電力を供給しないようにする制御と、表示部３の輝度のレベルを段階的に下げる制御と、チューナ６を介して受信しているテレビ番組の品質をフルセグからワンセグに切り替える制御とをこの順番で切り替えて実行するように構成されている。
【００３２】
また、本実施形態では、ＣＰＵ２は、バッテリ１からの出力電圧を、上記第１の時間間隔ｔ１よりも短い第２の時間間隔ｔ２（数秒程度）で定期的に測定するように構成されている。これにより、ＣＰＵ２は、現在のバッテリ１の残量を第２の時間間隔ｔ２で定期的に監視する制御を行うように構成されている。
【００３３】
次に、図２を参照して、本発明の一実施形態による携帯端末装置１００のＣＰＵ２によりバッテリ１の残量が監視される際に実行される処理フローについて説明する。
【００３４】
この処理フローにおいては、まず、図２に示すように、ステップＳ１において、現在のバッテリ１の残量を取得する処理が実行される。この処理は、バッテリ１からの出力電圧を測定することにより行われる。そして、ステップＳ２に進む。
【００３５】
次に、ステップＳ２において、上記ステップＳ１の処理が行われてから第２の時間間隔ｔ２（数秒程度）が経過したか否かが判断される。このステップＳ２の処理は、第２の時間間隔ｔ２が経過したと判断されるまで繰り返される。そして、ステップＳ２において、第２の時間間隔ｔ２が経過したと判断された場合には、上記ステップＳ１に戻る。以上により、バッテリ１の残量が第２の時間間隔ｔ２で定期的に監視される。
【００３６】
次に、図３を参照して、本発明の一実施形態による携帯端末装置１００のＣＰＵ２により部分視聴時間が計測される際に実行される処理フローについて説明する。この図３に示す処理フローは、テレビ番組の視聴が開始された場合（ユーザによりテレビ番組の選局操作が行われた場合、または、現在視聴中のテレビ番組が終了して次のテレビ番組が開始された場合）に開始される。これにより、この図３に示す処理フローは、ユーザの操作によりテレビ番組の視聴が開始される毎に複数回実行される。
【００３７】
この処理フローにおいては、まず、図３に示すように、ステップＳ１１において、テレビ番組の視聴時間の計測を開始する処理が実行される。具体的には、携帯端末装置１００の内部に設けられたタイマ（図示せず）によって計時を開始する処理や、テレビ番組の視聴開始時刻をＲＡＭ１２に記憶する処理などが実行される。そして、ステップＳ１２に進む。
【００３８】
次に、ステップＳ１２において、現在視聴中のテレビ番組の情報を取得する処理が実行される。具体的には、チューナ６を介してＥＰＧ（電子番組表）を受信する処理が実行される。そして、ステップＳ１３に進む。
【００３９】
次に、ステップＳ１３において、ユーザによるテレビ番組の選局操作または視聴終了操作が行われたか否かが判断される。このステップＳ１３において、ユーザによるテレビ番組の選局操作も視聴終了操作も行われていないと判断された場合には、上記ステップＳ１２に戻る。また、ステップＳ１３において、ユーザによるテレビ番組の選局操作または視聴終了操作が行われたと判断された場合には、ステップＳ１４に進む。
【００４０】
次に、ステップＳ１４において、上記ステップＳ１１において開始されたテレビ番組の視聴時間の計測を終了する処理が実行される。具体的には、上記ステップＳ１１において開始されたタイマ（図示せず）による計時を終了してタイマ（図示せず）のカウント時間を計算する処理や、テレビ番組の視聴終了時刻をＲＡＭ１２に記憶して、上記ステップＳ１１においてＲＡＭ１２に記憶されたテレビ番組の視聴開始時刻との差を計算する処理などが実行される。これにより、テレビ番組の視聴時間が計測される。そして、ステップＳ１５に進む。
【００４１】
次に、ステップＳ１５において、上記ステップＳ１３においてテレビ番組の選局操作または視聴終了操作が行われる直前まで視聴されていたテレビ番組が終了時刻まで視聴されたか否かを判断する処理が実行される。なお、このステップＳ１５の判断処理の判断基準は、視聴しているテレビ番組の種類に応じて変更されてもよい。たとえば、広告放送が比較的多く挿入されている民間放送のテレビ番組を視聴した場合で、かつ、そのテレビ番組が深夜・早朝帯（０：００〜５：００までの時間帯）に放送されたものである場合には、番組全体の８５％以上が視聴されたか否かを判断基準として用いてもよい。また、民間のテレビ番組を視聴した場合で、かつ、そのテレビ番組が深夜・早朝帯以外の時間帯（５：００〜２４：００までの時間帯）に放送されたものである場合には、番組全体の９０％以上が視聴されたか否かを判断基準として用いてもよい。また、広告放送が挿入されることが比較的少ない公共放送のテレビ番組を視聴した場合には、番組全体の９０％以上が視聴されたか否かを判断基準として用いてもよい。
【００４２】
上記ステップＳ１５において、テレビ番組が終了時刻まで視聴されたと判断された場合には、処理が終了される。また、上記ステップＳ１５において、テレビ番組が終了時刻まで視聴されていないと判断された場合には、ステップＳ１６に進む。
【００４３】
次に、ステップＳ１６において、上記ステップＳ１４において計測されたテレビ番組の視聴時間が１分以下であるか否かを判断する処理が実行される。このステップＳ１６において、上記ステップＳ１４において計測されたテレビ番組の視聴時間が１分以下であると判断された場合には、処理が終了される。これにより、１分以下の時間間隔でチャンネルを切り替えながらテレビ番組を視聴する行為（いわゆるザッピング）は、部分視聴には該当しないとして、ザッピングによるテレビ番組の視聴時間（１分以下の視聴時間）は、部分視聴時間から除外される。また、ステップＳ１６において、上記ステップＳ１４において計測されたテレビ番組の視聴時間が１分よりも長いと判断された場合には、ステップＳ１７に進む。
【００４４】
次に、ステップＳ１７において、上記ステップＳ１４において計測されたテレビ番組の視聴時間（１分よりも長い視聴時間）を、部分視聴時間としてＲＯＭ１１およびＲＡＭ１２に記憶する処理が実行される。そして、ステップＳ１８に進む。
【００４５】
次に、ステップＳ１８において、上記ステップＳ１７においてＲＯＭ１１およびＲＡＭ１２に記憶された部分視聴時間の平均値τを計算して、その部分視聴時間の平均値τをＲＯＭ１１およびＲＡＭ１２に記憶する処理が実行される。このステップＳ１８においては、上記ステップＳ１７の処理が複数回実行された場合には、それら複数回の上記ステップＳ１７の処理によりＲＯＭ１１およびＲＡＭ１２に記憶された複数の部分視聴時間の平均値τが計算されてＲＯＭ１１およびＲＡＭ１２に記憶される。また、ステップＳ１８においては、上記ステップＳ１７の処理が１回しか実行されていない場合には、その１回の上記ステップＳ１７の処理によりＲＯＭ１１およびＲＡＭ１２に記憶された１個の部分視聴時間が、部分視聴時間の平均値τとしてＲＯＭ１１およびＲＡＭ１２に記憶される。そして、処理が終了される。
【００４６】
次に、図４および図５を参照して、本発明の一実施形態による携帯端末装置１００を用いたテレビ番組の視聴時にＣＰＵ２により実行される処理フローについて説明する。
【００４７】
この処理フローにおいては、まず、図４に示すように、ステップＳ２１において、現在行われているテレビ番組の視聴がユーザの視聴開始操作に起因して開始されたものか否かを判断する処理が実行される。このステップＳ２１において、現在行われているテレビ番組の視聴がユーザの視聴開始操作に起因して開始されたものではないと判断された場合（たとえば、ユーザの予約操作に起因して開始されたものである場合）には、後述するステップＳ２５に進む。また、ステップＳ２１において、現在行われているテレビ番組の視聴がユーザの視聴開始操作に起因して開始されたものであると判断された場合には、ステップＳ２２に進む。
【００４８】
次に、ステップＳ２２において、現在のバッテリの残量（出力電圧）から視聴可能時間（消費電力を低減する制御を行わずにテレビ番組の視聴を現状のまま継続した場合にバッテリ１の残量がゼロになるまでの時間）を計算する処理が実行される。そして、ステップＳ２３に進む。
【００４９】
次に、ステップＳ２３において、上記ステップＳ２２において計算された視聴可能時間が、上記図３に示す処理フローが複数回実行されることにより計算された複数の部分視聴時間の平均値τよりも少ないか否かを判断する処理が実行される。このステップＳ２３において、視聴可能時間がτ以上であると判断された場合（消費電力を低減する処理を行わなくても時間τ分のテレビ番組の視聴が可能と判断された場合）には、ステップＳ２４に進む。
【００５０】
次に、ステップＳ２４において、現在の視聴時間（ユーザによりテレビ番組の視聴開始操作が行われてテレビ番組の視聴が開始されてから現在に至るまでの時間）が上記部分視聴時間の平均値τ以上であるか否かを判断する処理が実行される。このステップＳ２４において、現在の視聴時間がτ未満であると判断された場合（現在の視聴態様が部分視聴に該当すると判断された場合）には、上記ステップＳ２２に戻る。また、ステップＳ２４において、現在の視聴時間がτ以上であると判断された場合（現在の視聴態様が部分視聴に該当しないと判断された場合）には、ステップＳ２５に進む。
【００５１】
次に、ステップＳ２５において、現在視聴中のテレビ番組の情報を取得する処理が実行される。具体的には、チューナ６を介してＥＰＧ（電子番組表）を受信する処理が実行される。そして、ステップＳ２６に進む。
【００５２】
次に、ステップＳ２６において、上記ステップＳ２５の処理により取得した現在視聴中のテレビ番組の情報に基づいて、現在視聴中のテレビ番組を終了まで視聴するのに要する時間（残りの番組時間）を計算する処理が実行される。そして、ステップＳ２７に進む。
【００５３】
次に、ステップＳ２７において、現在のバッテリの残量（出力電圧）から、今後充電なしでテレビ番組を視聴可能な時間を計算する処理（上記ステップＳ２２と同様の処理）が実行される。そして、ステップＳ２８に進む。
【００５４】
次に、ステップＳ２８において、上記ステップＳ２７において計算された視聴可能時間が、上記ステップＳ２６において計算された残りの番組時間よりも少ないか否かを判断する処理が実行される。このステップＳ２８において、視聴可能時間が残りの番組時間よりも少ないと判断された場合には、ステップＳ２９に進む。
【００５５】
ステップＳ２９においては、複数種類の消費電力を低減する制御を優先度順に切り替えながら実行して消費電力を低減する処理（詳細は、後述する図６参照）が実行される。このステップＳ２９では、たとえば、テレビ番組視聴時には使用されないデバイス（センサ８や通信部９など）に電力を供給しないようにする制御と、表示部３の輝度のレベルを段階的に下げる制御と、チューナ６を介して受信しているテレビ番組の品質をフルセグからワンセグに切り替える制御とが、この順番で切り替わって実行される。なお、上記の順番は、表示部３におけるテレビ番組の視聴に与える影響が小さい順番（ユーザに不快感を与えにくい順番）である。このステップＳ２９の処理が実行された後には、ステップＳ３０に進む。なお、上記ステップＳ２８において、視聴可能時間が残りの番組時間以上であると判断された場合にも、ステップＳ３０に進む。
【００５６】
ステップＳ３０においては、上記ステップＳ２８において視聴可能時間が残りの番組時間以上であると判断された時、または、上記ステップＳ２９において消費電力を低減する処理が行われた時から第１の時間間隔ｔ１（１分程度）が経過したか否かを判断する処理が実行される。このステップＳ３０の処理は、第１の時間間隔ｔ１が経過したと判断されるまで繰り返される。そして、ステップＳ３０において、第１の時間間隔ｔ１が経過したと判断された場合には、上記ステップＳ２５に戻る。このように上記ステップＳ２５〜Ｓ３０の処理が第１の時間間隔ｔ１で定期的に繰り返されることにより、少なくとも現在視聴しているテレビ番組が終了するまでの間は、バッテリ１の残量がゼロになるのが抑制される。
【００５７】
以上により、上記ステップＳ２４において、現在の視聴時間が部分視聴時間の平均値τ以上であると判断された場合（現在の視聴態様が部分視聴に該当しないと判断された場合）には、上記ステップＳ２５〜Ｓ３０の処理により、消費電力を低減する処理を行うか否かの判断が、バッテリ１の残量に基づいて、第１の時間間隔ｔ１で定期的に行われる。その一方、上記ステップＳ２４において、現在の視聴時間がτよりも少ないと判断された場合（現在の視聴態様が部分視聴に該当すると判断された場合）には、原則として、上記ステップＳ２５〜Ｓ３０に進まないので、消費電力を低減する処理が行われない。
【００５８】
なお、上記ステップＳ２３において、視聴可能時間が部分視聴時間の平均値τよりも少ないと判断された場合（消費電力を低減する処理を行わなければ時間τ分のテレビ番組の視聴が不可能と判断された場合）には、ステップＳ３１（図５参照）に進む。
【００５９】
ステップＳ３１においては、図５に示すように、上記図３に示す処理フローが複数回実行されることにより計算された複数の部分視聴時間の平均値τから、現在の視聴時間（ユーザによりテレビ番組の視聴開始操作が行われてテレビ番組の視聴が開始されてから現在に至るまでの時間）を差し引いて、残りの部分視聴時間（部分視聴時間の平均値τ分のテレビ番組の視聴を完了するのに要する時間）を計算する処理が実行される。そして、ステップＳ３２に進む。
【００６０】
ステップＳ３２においては、現在のバッテリの残量（出力電圧）から、今後充電なしでテレビ番組を視聴可能な時間を計算する処理（上記ステップＳ２２およびＳ２７（図４参照）と同様の処理）が実行される。そして、ステップＳ３３に進む。
【００６１】
ステップＳ３３においては、上記ステップＳ３２において計算された視聴可能時間が、上記ステップＳ３１において計算された残りの部分視聴時間よりも少ないか否かを判断する処理（上記ステップＳ２８（図４参照）と略同様の処理）が実行される。このステップＳ３３において、視聴可能時間が残りの部分視聴時間よりも少ないと判断された場合には、ステップＳ３４に進む。
【００６２】
ステップＳ３４においては、複数種類の消費電力を低減する制御を優先度順に切り替えながら実行して消費電力を低減する処理（上記ステップＳ２９（図４参照）と同様の処理：詳細は、後述する図６参照）が実行される。そして、ステップＳ３５に進む。なお、上記ステップＳ３３において、視聴可能時間が残りの部分視聴時間以上であると判断された場合にも、ステップＳ３５に進む。
【００６３】
ステップＳ３５においては、上記ステップＳ３３において視聴時間が残りの番組時間以上であると判断された時、または、上記ステップＳ３４において消費電力を低減する処理が行われた時から第１の時間間隔ｔ１（１分程度）が経過したか否かを判断する処理（上記ステップＳ３０（図４参照）と略同様の処理）が実行される。このステップＳ３５の処理は、第１の時間間隔ｔ１が経過したと判断されるまで繰り返される。そして、ステップＳ３５において、第１の時間間隔ｔ１が経過したと判断された場合には、上記ステップＳ３１に戻る。このように上記ステップＳ３１〜Ｓ３５の処理が第１の時間間隔ｔ１で定期的に繰り返されることにより、少なくとも部分視聴時間の平均値τが経過するまでの間は、バッテリ１の残量がゼロになるのが抑制される。
【００６４】
次に、図６を参照して、上記図４のステップＳ２９および上記図５のステップＳ３４においてＣＰＵ２により実行される消費電力の低減処理の詳細について説明する。
【００６５】
この図６に示す処理フローでは、まず、ステップＳ４１において、番組視聴に関係ない全てのデバイス（センサ部８や通信部９など）への電力供給が停止済みか否かを判断する処理が実行される。ステップＳ４１において、番組視聴に関係ない全てのデバイスへの電力供給が停止済みでないと判断された場合（たとえば、センサ部８への電力供給は停止されている一方、通信部９への電力供給は停止されていない場合）には、ステップＳ４２に進む。そして、ステップＳ４２において、まだ電力供給が行われているデバイス（上記の例では、通信部９）への電源供給を停止する処理が実行される。そして、上記図４のステップＳ３０または上記図５のステップＳ３５に処理が戻る。
【００６６】
また、ステップＳ４１において、番組視聴に関係ない全てのデバイスへの電力供給が停止済みでないと判断された場合には、ステップＳ４３に進む。そして、ステップＳ４３において、表示部３の輝度のレベルが最小まで下がっているか否かを判断する処理が実行される。ステップＳ４３において、表示部３の輝度のレベルが最小まで下がっていないと判断された場合には、ステップＳ４４に進む。そして、ステップＳ４４において、表示部３の輝度のレベルを１段階下げる処理が実行される。そして、上記図４のステップＳ３０または上記図５のステップＳ３５に処理が戻る。
【００６７】
また、ステップＳ４３において、表示部３の輝度のレベルが最小まで下がっていると判断された場合には、ステップＳ４５に進む。そして、ステップＳ４５において、チューナ６を介して受信しているテレビ番組の品質をフルセグからワンセグに切り替える処理が実行される。そして、上記図４のステップＳ３０または上記図５のステップＳ３５に処理が戻る。
【００６８】
本実施形態では、上記のように、テレビ番組の視聴時間が第１時間（部分視聴時間の平均値τ）以上であり、かつ、テレビ番組の視聴可能時間（消費電力を低減する制御を行わずにテレビ番組の視聴を継続した場合にバッテリ１の残量がゼロになるまでの時間）が第２時間（残りの番組時間：現在視聴中のテレビ番組を終了まで視聴するのに要する時間）よりも少ないと判断した場合に、消費電力を低減する制御を行うようにＣＰＵ２を構成する。これにより、テレビ番組の視聴時間が第１時間未満である短い時間の視聴時で、かつ、その短い時間の視聴を行うのに十分な残量がバッテリに残っている場合（視聴可能時間が第２時間以上である場合）には、消費電力を低減する制御が行われないので、短い時間の視聴時に消費電力を低減する制御が行われることに起因してテレビ番組の視聴が妨げられるという不快感をユーザに与えるのを抑制することができる。
【００６９】
また、本実施形態では、上記のように、第１時間を、ユーザが過去にテレビ番組を部分的に視聴した際における複数の部分視聴時間の平均値τとする。これにより、複数の部分視聴時間の平均値τを用いて、ユーザが現在部分視聴を行っているか否かの判断を適切に行うことができる。
【００７０】
また、本実施形態では、上記のように、テレビ番組の視聴時間が部分視聴時間の平均値τ以上であり、かつ、視聴可能時間が残りの番組時間よりも少ないと判断した場合に、消費電力を低減する制御を行うようにＣＰＵ２を構成する。これにより、ユーザが比較的長時間に渡ってテレビ番組の視聴を行う場合で、かつ、視聴可能時間が残りの番組時間よりも少ない場合に、消費電力を低減する制御が行われるので、バッテリ１の残量が比較的少ない場合でも、テレビ番組を比較的長時間に渡って視聴することができる。
【００７１】
また、本実施形態では、上記のように、テレビ番組の視聴時間が部分視聴時間の平均値τ以上である場合でも、視聴可能時間が残りの番組時間以上であると判断した場合には、消費電力を低減する制御を行わないようにＣＰＵ２を構成する。これにより、ユーザが比較的長時間に渡ってテレビ番組の視聴を行う場合でも、視聴可能時間が残りの番組時間以上である場合には、消費電力を低減する制御が行われないので、テレビ番組を比較的長時間に渡って品質（画質）を低下させることなく視聴することができる。
【００７２】
また、本実施形態では、上記のように、視聴可能時間が部分視聴時間の平均値τよりも少ないと判断した場合にも、消費電力を低減する制御を行うようにＣＰＵ２を構成する。これにより、バッテリ１に部分視聴を行うのに十分な残量がない場合に、消費電力を低減する制御が行われるので、ユーザが部分視聴を行っている途中でバッテリ１の残量がゼロになって部分視聴が妨げられるのを抑制することができる。
【００７３】
また、本実施形態では、上記のように、視聴可能時間が部分視聴時間の平均値τよりも少ないと判断し、かつ、視聴可能時間が、残りの部分視聴時間（部分視聴時間の平均値τから既に視聴したテレビ番組の視聴時間を差し引いた時間）よりも少ないと判断した場合に、消費電力を低減する制御を行うようにＣＰＵ２を構成する。これにより、バッテリ１に部分視聴を行うのに十分な残量がない場合で、かつ、視聴可能時間が残りの部分視聴時間よりも少ない場合に、消費電力を低減する制御が行われるので、ユーザが部分視聴を行っている途中でバッテリ１の残量がゼロになって部分視聴が妨げられるのを確実に抑制することができる。
【００７４】
また、本実施形態では、上記のように、視聴可能時間が部分視聴時間の平均値τよりも少ないと判断した場合でも、視聴可能時間が残りの部分視聴時間以上であると判断した場合には、消費電力を低減する制御を行わないようにＣＰＵ２を構成する。これにより、バッテリ１に部分視聴を行うのに十分な残量がない場合でも、視聴可能時間が残りの部分視聴時間以上である場合には、消費電力を低減する制御が行われないので、ユーザが部分視聴を行っている途中でテレビ番組の品質（画質）が低下するのを抑制することができる。
【００７５】
また、本実施形態では、上記のように、消費電力を低減する制御を行う場合には、複数種類の消費電力を低減する制御を、表示部３におけるテレビ番組の視聴に与える影響が小さい順に切り替えて実行するようにＣＰＵ２を構成する。これにより、消費電力を低減する制御が行われる場合には、ユーザに与える不快感の小さいものから順番に行われるので、テレビ番組の視聴時に消費電力を低減する制御が行われることに起因してユーザに不快感が与えられるのを効果的に抑制することができる。
【００７６】
また、本実施形態では、上記のように、消費電力を低減する制御を行うか否かを第１の時間間隔ｔ１（１分程度）で定期的に判断するとともに、バッテリ１の残量を第１の時間間隔ｔ１よりも短い第２の時間間隔ｔ２（数秒程度）で定期的に監視するようにＣＰＵ２を構成する。これにより、消費電力を低減する制御を行うか否かの判断が行われる頻度よりも、バッテリ１の残量の監視が行われる頻度の方が高くなるので、消費電力を低減する制御を行うか否かの判断を直近のバッテリ１の残量に基づいて適切に行うことができる。
【００７７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７８】
たとえば、上記実施形態では、テレビ番組を視聴可能なバッテリ駆動の携帯端末装置に本発明を適用する例を示したが、本発明はこれに限らない。本発明は、テレビ番組を含む一般的なコンテンツ（映像および音声を含む動画コンテンツ）を視聴可能なバッテリ駆動の電子機器であれば、携帯端末装置以外の電子機器にも適用可能である。
【００７９】
また、上記実施形態では、ユーザが短い時間の視聴（部分視聴）を行っているか否かの判断基準となる第１時間を、ユーザが過去に部分視聴を行った際における部分視聴時間の平均値とする例を示したが、本発明はこれに限らない。本発明では、ユーザが短い時間の視聴を行っているか否かの判断基準となる第１時間を、過去の部分視聴時間を基準としないある一定値としてもよい。
【００８０】
また、上記実施形態では、ユーザが比較的長時間に渡ってテレビ番組の視聴を行う場合に消費電力を低減する制御を行うか否かの判断を、視聴可能時間（消費電力を低減する制御を行わずにテレビ番組の視聴を継続した場合にバッテリの残量がゼロになるまでの時間）が残りの番組時間（現在視聴中のテレビ番組を終了まで視聴するのに要する時間）よりも少ないか否かという判断基準に基づいて行う例を示したが、本発明はこれに限らない。本発明では、ユーザが比較的長時間に渡ってテレビ番組の視聴を行う場合に消費電力を低減する制御を行うか否かの判断を、上記以外の判断基準（たとえば、バッテリの残量がある一定値よりも少ないか否かという判断基準）に基づいて行ってもよい。
【００８１】
また、上記実施形態では、ユーザが部分視聴を行う場合に消費電力を低減する制御を行うか否かの判断を、視聴可能時間（消費電力を低減する制御を行わずにテレビ番組の視聴を継続した場合にバッテリの残量がゼロになるまでの時間）が残りの部分視聴時間（部分視聴時間の平均値τから既に視聴したテレビ番組の視聴時間を差し引いた時間）よりも少ないか否かという判断基準に基づいて行う例を示したが、本発明はこれに限らない。本発明では、ユーザが部分視聴を行う場合に消費電力を低減する制御を行うか否かの判断を、上記以外の判断基準（たとえば、バッテリの残量がある一定値よりも少ないか否かという判断基準）に基づいて行ってもよい。
【００８２】
また、上記実施形態では、消費電力を低減する制御を行う場合に、複数種類の消費電力を低減する制御を、表示部におけるテレビ番組の視聴に与える影響が小さい順に切り替えて実行する例を示したが、本発明はこれに限らない。本発明では、消費電力を低減する制御が１種類であってもよい。また、上記実施形態では、消費電力を低減する制御として、テレビ番組視聴時には使用されないデバイスに電力を供給しないようにする制御と、表示部の輝度のレベルを段階的に下げる制御と、受信しているテレビ番組の品質をフルセグからワンセグに切り替える制御との３種類の制御を示したが、本発明では、これら３種類の制御方法以外の制御方法で消費電力を低減してもよい。
【００８３】
また、上記実施形態では、消費電力を低減する制御を行うか否かを第１の時間間隔（１分程度）で定期的に判断するとともに、バッテリの残量を第１の時間間隔よりも短い第２の時間間隔（数秒程度）で定期的に監視する例を示したが、本発明はこれに限らない。本発明では、第１の時間間隔を１分よりも短くしてもよいし、１分よりも長くしてもよい。また、第２の時間間隔を数分程度にしてもよい。なお、消費電力を低減する制御を行うか否かの判断を直近のバッテリの残量に基づいて適切に行うためには、消費電力を低減する制御を行うか否かの判断を行う第１の時間間隔よりも、バッテリの残量を監視する第２の時間間隔の方を短くするのが好ましい。
【００８４】
また、上記実施形態では、１分以下の時間間隔でチャンネルを切り替えながらテレビ番組を視聴する行為を、部分視聴には該当しない短い時間の視聴行為（いわゆるザッピング）であると見なす例を示したが、本発明はこれに限らない。本発明では、ザッピングであると見なす基準を１分よりも長い時間間隔に設定してもよいし、１分よりも短い時間間隔に設定してもよい。また、ザッピングであると見なす基準をユーザが任意に設定可能としてもよい。
【００８５】
また、上記実施形態では、図４に示すように、現在の視聴態様が部分視聴でない場合（ステップＳ２４において「Ｙｅｓ」に進んだ場合）には、現在視聴している番組が終了まで視聴可能か否かという判断（ステップＳ２８参照）のみに基づいて、消費電力を低減する処理（ステップＳ２９参照）を行うか否かを決定する例を示したが、本発明はこれに限らない。本発明では、図７に示す変形例のように、現在視聴している番組が終了まで視聴可能かという判断（ステップＳ２８参照）に加えて、ユーザにより視聴予約された複数の番組を視聴可能か否かという判断（後述するステップＳ５２参照）にも基づいて、消費電力を低減する処理（ステップＳ２９参照）を行うか否かを決定してもよい。
【００８６】
図７に示す処理フローにおいて、上記図４に示す処理フローと同じ符号を付したステップ（ステップＳ２１〜Ｓ３０）については、詳細な説明を省略する。ここで、図７に示す処理フローでは、ステップＳ２８において、視聴可能時間が残りの番組時間以上であると判断された場合（現在のバッテリ残量で現在視聴中の番組が終了まで問題なく視聴可能な場合）に、ステップＳ５１に進む。
【００８７】
図７に示すように、ステップＳ５１においては、ＲＯＭ１１（図１参照）などに記憶されたユーザの視聴予約情報（ユーザの視聴スケジュールを示す情報：ユーザが視聴予約を行った複数の番組の日付、開始時刻および終了時刻などが登録されたリスト）を参照する（読み出す）処理が実行され、ステップＳ５２に進む。そして、ステップＳ５２において、視聴予約された複数の番組（たとえば、上記ステップＳ５１の視聴予約情報（リスト）に登録された複数の番組のうちの一日分の番組）を視聴可能なバッテリ残量が残っているか否かを判断する処理が実行される。ステップＳ５２において、視聴予約された複数の番組を視聴可能なバッテリ残量が残っていないと判断された場合には、ステップＳ２９（詳細は、上記図６参照）に進む。また、ステップＳ５２において、視聴予約された複数の番組を視聴可能なバッテリ残量が残っていると判断された場合には、ステップＳ３０に進む。
【符号の説明】
【００８８】
１  バッテリ
２  ＣＰＵ（制御部）
３  表示部
１００  携帯端末装置（電子機器）
１０１  携帯端末本体（電子機器本体）
【図１】
2014110591.tif 000003
【図２】
2014110591.tif 000004
【図３】
2014110591.tif 000005
【図４】
2014110591.tif 000006
【図５】
2014110591.tif 000007
【図６】
2014110591.tif 000008
【図７】
2014110591.tif 000009